(57)【特許請求の範囲】
【請求項１】
圧縮された音声データのみの伝送を許容しないデジタルインターフェースに対しデータ送信を行う音声伝送装置であって、
前記圧縮された音声データと共にこの音声データに対する第１のコピー制御記述子が含まれるストリームが入力される入力端と、
前記第１のコピー制御記述子の内容に応じて、この第１のコピー制御記述子を第２のコピー制御記述子に変換するコピー制御記述子変換手段と、
前記第２のコピー制御記述子を含むストリームを生成する手段と、
前記音声データと多重化させる画像データを、前記音声データとは別に生成する画像データ生成手段と、
前記音声データをパケット化する第１のパケット化手段と、
前記画像データをパケット化する第２のパケット化手段と、
前記第２のコピー制御記述子を含むストリームをパケット化する第３のパケット化手段と、
前記第１乃至第３のパケット化手段により各々得られた各パケットを前記デジタルインターフェースのフォーマットに対応させて多重化した多重パケットを生成すると共に、前記第２のコピー制御記述子を基に生成した前記フォーマットに対応するコピー制御情報を前記多重パケットのヘッダに付加して前記デジタルインターフェースへ出力する出力手段と
を備えたことを特徴とする音声伝送装置。
【請求項２】
前記コピー制御記述子変換手段は、第１のコピー制御記述子がコピーフリーのときにはコピーフリー、コピー禁止のときにはコピー禁止、コピーｎ（ｎは自然数）回許可のときにはコピー１回許可の第２のコピー制御記述子へ変換することを特徴とする請求項１記載の音声伝送装置。
【請求項３】
前記出力手段は、所定期間に１回は前記画像データを出力することを特徴とする請求項１記載の音声伝送装置。
【請求項４】
前記画像データ生成手段は、前記デジタルインターフェースへ出力する手段を備えた音声伝送装置内で、伝送する音声と無関係に静止画像を発生する手段であることを特徴とした請求項１記載の音声伝送装置。
【請求項５】
前記画像データ生成手段とは、コンテンツのサービス情報に挿入されている情報をもとに文字表示或いは画像表示化する画像生成手段であることを特徴とした請求項１記載の音声伝送装置。
【請求項６】
圧縮された音声データのみの伝送を許容しないデジタルインターフェースに対しデータ送信を行う音声伝送方法であって、
前記圧縮された音声データと共にこの音声データに対する第１のコピー制御記述子が含まれるストリームが入力される段階と、
コピー制御記述子変換手段により、前記第１のコピー制御記述子の内容に応じて、この第１のコピー制御記述子を第２のコピー制御記述子に変換する段階と、
前記第２のコピー制御記述子を含むストリームを生成する段階と、
前記音声データと多重化させる画像データを、前記音声データとは別に生成する段階と、
第１のパケット化手段により、前記音声データをパケット化する段階と、
第２のパケット化手段により、前記画像データをパケット化する段階と、
第３のパケット化手段により、前記第２のコピー制御記述子を含むストリームをパケット化する段階と、
出力手段により、前記第１乃至第３のパケット化手段にて各々得られた各パケットを前記デジタルインターフェースのフォーマットに対応させて多重化した多重パケットを生成すると共に、前記第２のコピー制御記述子を基に生成した前記フォーマットに対応するコピー制御情報を前記多重パケットのヘッダに付加して前記デジタルインターフェースへ出力する段階と
を備えたことを特徴とする音声伝送方法。
【発明の詳細な説明】
【０００１】
【発明の属する技術分野】
この発明は音声信号を伝送する装置および方法に関し、特に圧縮されたデジタル音声信号にコピー管理情報を付して伝送する音声伝送装置および音声伝送方法に関する。
【０００２】
【従来の技術】
ＭＰＥＧ２−ＴＳでは、映像信号の著作権情報を対象として決められた記述子であるＣＧＭＳ（Copy Generation Management System。コピー世代管理システム。）をコピー制御記述子としており、一般に各国の放送等において挿入することが決められている。
【０００３】
一方、符号化されていない音声信号単独のデジタル伝送では、音声信号用の著作権情報の識別子であるＳＣＭＳ（Serial Copy Management System。シリアルコピー管理システム）が採用され、ＩＥＣ６０９５８で採用されている。
【０００４】
放送や媒体に記録される音声コンテンツには著作権保護の必要なものもあり、不正コピー禁止の対策を施さなければならず、不正コピー禁止の対策としてコンテンツの中に、映像信号／映像信号＋音声信号の場合にはＣＧＭＳが、音声信号のみの場合にはＳＣＭＳが挿入されている。
【０００５】
現時点で、米国のレコード関連の業界団体であるＲＩＡＡ（Record Industry Association of America）等音声事業者が伝送する音声信号は符号化されているためＳＣＭＳを記述しないデータとなるため、この音声圧縮信号をそのままデジタルインタフェースへ伝送することは認められていない。
【０００６】
また、ＩＥＥＥ１３９４のコピープロテクション規格の１つであるＤＴＣＰ（Digital Transmission Copy Protection）のライセンス機関のルールでも、符号化された音声信号を伝送することは認められていない。
【０００７】
【発明が解決しようとする課題】
このように従来の音声伝送装置および音声伝送方法においては、符号化された音声信号のみのデジタルインタフェースへの伝送は、ＣＧＭＳやＳＣＭＳが記述されていないことになるので認められていない。このためＭＰＥＧ２−ＴＳの音声信号のみを受信したい受信機に対して、ＭＰＥＧ２−ＴＳの音声信号のみを伝送することが出来ないという問題があった。
【０００８】
この発明は上記問題を解決するため、ＭＰＥＧ２−ＴＳの音声信号を受信したい受信機にＭＰＥＧ２−ＴＳの音声信号を伝送可能な音声伝送装置および音声伝送方法を提供することを目的とする。
【０００９】
【課題を解決するための手段】
上記の目的を達成するために、この発明においては、圧縮された音声データのみの伝送を許容しないデジタルインターフェースに対しデータ送信を行う音声伝送装置であって、前記圧縮された音声データと共にこの音声データに対する第１のコピー制御記述子（例えば、ＳＣＭＳ）が含まれるストリーム（例えば、ＳＩ）が入力される入力端と、前記第１のコピー制御記述子の内容に応じて、この第１のコピー制御記述子を第２のコピー制御記述子（例えば、ＣＧＭＳ）に変換するコピー制御記述子変換手段と、前記第２のコピー制御記述子（例えば、ＣＧＭＳ）を含むストリーム（例えば、ＰＭＴ）を生成する手段と、前記音声データと多重化させる画像データを、前記音声データとは別に生成する画像データ生成手段と、前記音声データをパケット化する第１のパケット化手段と、前記画像データをパケット化する第２のパケット化手段と、前記第２のコピー制御記述子（例えば、ＣＧＭＳ）を含むストリーム（例えば、ＰＭＴ）をパケット化する第３のパケット化手段と、前記第１乃至第３のパケット化手段により各々得られた各パケットを前記デジタルインターフェースのフォーマットに対応させて多重化した多重パケットを生成すると共に、前記第２のコピー制御記述子を基に生成した前記フォーマットに対応するコピー制御情報（例えば、ＥＭＩ）を前記多重パケットのヘッダに付加して前記デジタルインターフェースへ出力する出力手段とを備えたことを特徴とする音声伝送装置を提供する。
【００１０】
また、本発明では、圧縮された音声データのみの伝送を許容しないデジタルインターフェースに対しデータ送信を行う音声伝送方法であって、前記圧縮された音声データと共にこの音声データに対する第１のコピー制御記述子（例えば、ＳＣＭＳ）が含まれるストリーム（例えば、ＳＩ）が入力される段階と、コピー制御記述子変換手段により、前記第１のコピー制御記述子の内容に応じて、この第１のコピー制御記述子を第２のコピー制御記述子（例えば、ＣＧＭＳ）に変換する段階と、前記第２のコピー制御記述子（例えば、ＣＧＭＳ）を含むストリーム（例えば、ＰＭＴ）を生成する段階と、前記音声データと多重化させる画像データを、前記音声データとは別に生成する段階と、第１のパケット化手段により、前記音声データをパケット化する段階と、第２のパケット化手段により、前記画像データをパケット化する段階と、第３のパケット化手段により、前記第２のコピー制御記述子（例えば、ＣＧＭＳ）を含むストリーム（例えば、ＰＭＴ）をパケット化する段階と、出力手段により、前記第１乃至第３のパケット化手段にて各々得られた各パケットを前記デジタルインターフェースのフォーマットに対応させて多重化した多重パケットを生成すると共に、前記第２のコピー制御記述子を基に生成した前記フォーマットに対応するコピー制御情報（例えば、ＥＭＩ）を前記多重パケットのヘッダに付加して前記デジタルインターフェースへ出力する段階とを備えたことを特徴とする音声伝送方法を提供する。
【００１１】
【発明の実施の形態】
（第１の実施の形態）
以下、本発明の第１の実施の形態について図１から図３を用いて詳細に説明する。
【００１２】
本実施の形態は図３に示す通り、デジタル放送により送られた音声信号をデジタル放送受信機３１にて受信し、所定の音声番組のＭＰＥＧ２−ＴＳ符号化音声信号を復号化することなくそのままＩＥＥＥ１３９４ネットワークを介してＤＶＨＳ（デジタルＶＨＳ）３２へ出力するものである。
【００１３】
図３のデジタル放送受信機３１内には、図１に示すＴＳ＆デマルチプレックス処理回路１１，映像信号発生回路１２，ＰＭＴ発生回路１３、ＩＥＥＥ１３９４処理回路１４が設けられている。
【００１４】
図１において、映像信号発生回路１２は、例えばバック・グラウンド・ビデオ（以下、ＢＧＶと記す）を生成し、ＢＧＶデータの、つまり映像信号のトランスポート・ストリーム（以下、ＴＳと記す）をＩＥＥＥ１３９４処理回路１４へ出力する。
【００１５】
ＴＳ＆デマルチプレックス処理回路１１は、デジタル放送受信機３１により選局された音声番組を含んだＴＳが入力されており、この入力されたＴＳから選局された音声番組のパケットをデマルチプレクスして抜き出し、音声番組のみのＴＳをＩＥＥＥ１３９４処理回路１４へ出力する。仮にこのＴＳを１３９４伝送すると、図２（ａ）に示すようになる。このまま音声のみのＭＰＥＧ２−ＴＳを１３９４伝送することは現時点で音声事業者から認められていない。
【００１６】
更にＴＳ＆デマルチプレックス処理回路１１は、予め選局された音声番組のコピー管理情報（ＣＧＭＳまたはＳＣＭＳ）に基づいて、上記したＢＧＶ（またはＢＧＶ＋音声番組）のコピー制御情報を生成し、ＰＭＴ発生回路１３へ出力する。
【００１７】
これは第１のコピー管理情報として、音声番組のＳＩ（サービス・インフォメーション）に挿入されている場合は、ＰＭＴ発生回路１３に送り、改めてＢＧＶ＋音声に対する第２のコピー管理情報として、ＰＭＴ発生回路１３で発生し、ＰＭＴストリーム内に挿入する。
【００１８】
例えば、予め番組に付与されていた第１のコピー管理情報（ＣＧＭＳまたはＳＣＭＳ）が、コピーフリーのときにはＣＧＭＳのコピーフリーへ、ｎ回コピー許可のときにはＣＧＭＳのコピー・ｏｎｃｅへ、コピー禁止のときにはＣＧＭＳのコピー禁止へ変換する。
【００１９】
通常１３９４出力ストリームにおいてＣＧＭＳは、伝送するデータの補助情報を送るためのＰＭＴ（プログラム・マップ・テーブル,Program Map Table）に挿入される。本発明でも同じであり、ＰＭＴ発生回路１３は、ＢＧＶ（またはＢＧＶ＋音声番組）の第２のコピー管理情報（ＣＧＭＳ）を挿入したＰＭＴを作成し、ＩＥＥＥ１３９４処理回路１４および１３９４ヘッダーのコピー制御情報生成回路１５へ出力する。
【００２０】
１３９４ヘッダーのコピー制御情報生成回路１５は、入力されたＰＭＴの第２のコピー管理情報から１３９４Isochronousパケットヘッダーに挿入するコピー制御情報であるＥＭＩ（Encryption Mode Indicator）を生成しＩＥＥＥ１３９４処理回路１４へ出力する。
【００２１】
ＩＥＥＥ１３９４処理回路１４は、入力された映像信号発生回路１２からのＢＧＶデータのＴＳ、ＴＳ＆デマルチプレックス処理回路１１からのＰＭＴおよび選局された音声番組のＴＳとをＩＥＣ６１８８３−４で規程されている方法によりそれぞれタイムスタンプを付加すると共に、パケットのヘッダにＥＭＩを付加してＩＥＥＥ１３９４伝送路へ送る。このとき映像信号発生回路１２からのＴＳと、ＴＳ＆デマルチプレックス処理回路１１からのＴＳおよびＰＭＴを、同じ１３９４Isochronousチャンネルに指定してＩＥＥＥ１３９４伝送路へ送る。
【００２２】
ＩＥＥＥ１３９４処理回路１４では、ＴＳ＆デマルチプレックス処理回路１１からの音声信号のみのＭＰＥＧ２−ＴＳとＰＭＴだけを１３９４伝送した場合には、図２（ｂ）に示す通りの信号となるため先に死したように音声事業者の同意を得られていないので、更に必ず映像信号発生回路１２からのＢＧＶデータについても多重して図２（ｃ）に示す通りの信号をＩＥＥＥ１３９４ネットワークへ送ることにより映像と音声信号に基づいた第２のコピー記述子（ＣＧＭＳ）を伝送し、それに基づいたＥＭＩ処理を行うことにより規定違反となるのを防いでいる。
【００２３】
そして１３９４伝送路を介してデジタル放送受信機３１から送られた符号化された音声信号については、ＣＧＭＳに基づいてＤＶＨＳ３２の磁気テープに記録するか否かがコピー制御される。
【００２４】
また、第１の実施の形態では、デジタル放送受信機からＤＶＨＳ（デジタルＶＨＳ）へ伝送するものとして説明するが、送信側としてはこれに限らず、ＤＶＤ等音声コンテンツを再生する機器なら適用可能である。
【００２５】
また、映像信号発生回路１２では、ＢＧＶとしては、もともとのコンテンツに含まれるＳＩ（サービス・インフォメーション）に入っている音声番組の番組名や曲のタイトルを検出して、その文字の画像情報を発生しても良い。こうするとどの番組から得たものなのか、或いは曲のタイトルをＤＶＨＳ側で単に画像表示させるだけで知ることが出来る。
【００２６】
以上説明した通り、ＭＰＥＧ２−ＴＳの音声信号を受信したい受信機にＭＰＥＧ２−ＴＳの音声信号を伝送可能な音声伝送装置および音声伝送方法を提供することができる。
【００２７】
（第２の実施の形態）
次に、本発明の第２の実施の形態について図４および図５を用いて詳細に説明する。
【００２８】
本実施の形態は図５に示す通り、ＤＶＤオーディオ４１から再生されたＭＰＥＧ２−ＴＳ符号化音声信号を復号化することなくそのままＩＥＥＥ１３９４ネットワークを介してデジタルテレビ５２またはデジタルアンプ５３または録再ＤＶＤ５４へ出力するものである。
【００２９】
図５のＤＶＤオーディオ５１内には、図４に示す映像信号発生回路４１，ＤＶＤ音声信号処理回路４２，ＭＰＥＧ２−ＴＳ化回路４３，第２のコピー制御記述子変換回路４５，ＰＭＴ発生回路４６，ＩＥＥＥ１３９４処理回路４７、第２のコピー制御記述子変換回路４５が設けられている。
【００３０】
図４において、映像信号発生回路４１は、ＢＧＶを生成し、ＢＧＶデータのＴＳをＩＥＥＥ１３９４処理回路４７へ出力する。
【００３１】
ＤＶＤ音声信号処理回路４２は、ＤＶＤオーディオのピックアップ等の読み出し回路から再生された再生データをＭＰＥＧ２−ＴＳ化回路４３へ、検出された第１のコピー制御記述子であるＳＣＭＳを、第２のコピー制御記述子に変換する第２のコピー制御記述子変換回路４５へ出力する。第２のコピー制御記述子変換回路４５は、ＳＣＭＳに応じたＣＧＭＳに変換し、ＰＭＴ発生回路４６に出力する。
【００３２】
ＰＭＴ発生回路４６は、ＣＧＭＳを含んだ１３９４出力信号に関する情報テーブルであるＰＭＴ信号を生成し、ＭＰＥＧ２−ＴＳ化処理回路４３および１３９４ヘッダーのコピー制御情報生成回路４８へ出力する。例えば、ＳＣＭＳのコピーフリーのときにはＣＧＭＳのコピーフリーへ、ＳＣＭＳのコピー禁止のときにはＣＧＭＳのコピー禁止へ、ＳＣＭＳのコピーｎ回許可のときにはＣＧＭＳのコピーワンス（１回のみコピー可）へ変換し、ＰＭＴ発生回路４６へ出力する。
【００３３】
ＭＰＥＧ２−ＴＳ化回路４３へ出力する。ＭＰＥＧ２−ＴＳ化処理回路４３は、ＭＰＥＧ２−ＴＳ化処理してＩＥＥＥ１３９４処理回路４７へ出力する。
【００３４】
１３９４ヘッダーのコピー制御情報生成回路４８は、入力されたＰＭＴから１３９４ヘッダのコピー制御情報（ＥＭＩ）を生成してＩＥＥＥ１３９４処理回路４７へ出力する。
【００３５】
ＩＥＥＥ１３９４処理回路４７は、映像信号発生回路４１およびＭＰＥＧ２−ＴＳ化処理回路４３から入力された信号をＩＥＣ６１８８３−４で規程されている方法によりそれぞれタイムスタンプを付加し、このパケットに１３９４ヘッダーのコピー制御情報生成回路４８からのコピー制御情報を挿入し、図３（ｃ）に示す信号をデジタルテレビ５２またはデジタルアンプ５３へ出力する。このとき映像信号発生回路４１からのＴＳと、ＭＰＥＧ２−ＴＳ化処理回路４３からのＴＳおよびＰＭＴを、同じ１３９４Isochronousチャンネルに指定してＩＥＥＥ１３９４伝送路へ送る。
【００３６】
ＩＥＥＥ１３９４処理回路４７では、ＩＥＣ６１８８３−４で規程されるように、ＭＰＥＧ２−ＴＳ化処理回路４３からのＴＳ（音声信号およびＰＭＴのＴＳ）だけを１３９４伝送した場合には、図２（ｂ）に示す通りの信号となるため音声事業者から認められていないので、更に必ず映像信号発生回路４１からのＢＧＶデータについても多重して図２（ｃ）に示す通りの信号をＩＥＥＥ１３９４ネットワークへ送ることにより規程違反となるのを防いでいる。
【００３７】
そして１３９４伝送路を介してＤＶＤオーディオ５１から送られた信号は、符号化された音声信号が第２のコピー制御記述子（ＣＧＭＳ）に基づいてコピー制御されデジタルテレビ５２またはデジタルアンプ５３、録再ＤＶＤ５４で処理される。
【００３８】
図４の映像信号発生回路４１から発生するＢＧＶは、出力する音声情報と無関係に固定的な画像パターンでも良いし、またはデイスクデータに記録されているサブピクチャデータの中にあるＯＳＤ（オン・スクリーン・データ；On Screen Data）データや文字情報から、画像情報（ＯＳＤ）を作成してＢＧＶとして出力しても良い。
【００３９】
以上説明した通り、ＭＰＥＧ２−ＴＳの音声信号を受信したい受信機にＭＰＥＧ２−ＴＳの音声信号を伝送可能な音声伝送装置および音声伝送方法を提供することができる。
【００４０】
上記デジタルアンプ５３は、静止画像のＴＳを受信するが、内部で表示処理を持たないため結局音声信号のみ処理されることになる。
【００４１】
以下は、第１および第２の実施の形態に共通していることである。
【００４２】
本実施の形態ではＢＧＶデータとしたがこれに限らず、通常の動画ビデオ信号でもブルーバック画面でも良いのであるが、常に或いは周期的に音声と共に伝送することが必要である。例えば音声番組の最初にのみ１枚の静止画を入れることは、符号化された音声信号のみをＩＥＥＥ１３９４デジタルインタフェースへ流すことに近くなるため好ましくはない。
【００４３】
ＩＥＥＥ１３９４は、ＭＰＥＧ２−ＴＳのＰＭＴ中のＣＧＭＳの値に基づいたを１３９４Isochronous PacketヘッダのＥＭＩ（Encryption Mode Indicator）値として、２ビットのコピー制御情報を挿入することがＤＴＣＰで規格化されているのでこれを用いているのである。例えば、デジタル放送受信機がサービスの内容をデジタルインタフェースによりＤＶＨＳなどデジタル記録機に記録する際、ＤＴＣＰ方式ではＣＧＭＳを基にしたＥＭＩによりコピー制御を行なうことになっている。
【００４４】
これはビデオ信号と共に音声信号を出す場合は、ビデオ信号のＣＧＭＳによって音声のコピー制御を行なって良いと、ＲＩＡＡなど音声事業者が認めているからである。
【００４５】
【発明の効果】
以上説明したようにこの発明によれば、ＭＰＥＧ２−ＴＳの音声のみを受信したい受信機にＭＰＥＧ２−ＴＳの音声信号を伝送することが可能となる。
【図面の簡単な説明】
【図１】第１の実施の形態の音声伝送装置を説明するための図。
【図２】１３９４伝送信号を説明するための図。
【図３】第１の実施の形態の音声伝送装置を含めた構成例を説明するための図。
【図４】第２の実施の形態の音声伝送装置を説明するための図。
【図５】第２の実施の形態の音声伝送装置を含めた構成例を説明するための図。
【符号の説明】
１１…ＴＳ＆デマルチプレックス処理回路、１２…映像信号発生回路、１３…ＰＭＴ発生回路、１４…ＩＥＥＥ１３９４処理回路。
【図１】
0004053705.tif 000002
【図２】
0004053705.tif 000003
【図３】
0004053705.tif 000004
【図４】
0004053705.tif 000005
【図５】
0004053705.tif 000006